(57)【要約】【課題】機器の故障によって呼び出しが行えなくなったり、患者の検査や治療、患者や病床の移動の際に邪魔にならないナースコールシステムを提供する。【解決手段】患者Ｐが患者携帯端末２００を着用し、呼び出しを行いたい場合には、患者携帯端末２００を患者Ｐが操作する。すると、患者携帯端末２００から無線信号が送信される。また、握り押しボタン１１０などが接続されるインターフェース盤１０８には、増設無線端末１１００が接続されており、この増設無線端末１１００は上記無線信号を受信すると、インターフェース盤１０８を通じてナースコール親機２に患者Ｐからの呼び出しが発生したことを報知するようにしたものである。【選択図】      図１
2006033164.tif 000002
【特許請求の範囲】
【請求項１】
医療従事者を呼び出すナースコール親機と、
このナースコール親機に有線回線を通じて収容される接続端子と、
この接続端子に着脱自在に接続可能な第１無線端末と、
患者が携帯する第２無線端末とを具備し、
この第２無線端末は、
患者から要求を受け付ける受付手段と、
この受付手段を通じて要求があった場合に、無線呼出信号を送信する第２端末無線送信手段を備え、
前記第１無線端末は、
前記第２無線端末から送信された無線信号を受信する第１端末無線受信手段と、
この第１端末無線受信手段が前記無線呼出信号を受信した場合に、前記接続端子を通じて前記ナースコール親機に対して、呼び出しが生じた旨を通知する呼出通知手段とを備えることを特徴とするナースコールシステム。
【請求項２】
前記第１無線端末は、
前記第２無線端末に宛てた無線信号を送信する第１端末無線送信手段と、
予め設定した時間が経過した場合に、前記第１端末無線送信手段を制御して、前記第２無線端末に宛てた無線確認信号を送信する第１端末送信制御手段と、
この第１端末送信制御手段の制御によって前記無線確認信号を送信してから、予め設定された時間が経過するまでの間に、前記第１端末無線受信手段が、前記第２無線端末から無線応答信号を受信しない場合に、前記接続端子を通じて前記ナースコール親機に対して、前記第２端末から前記無線応答信号が受信されない旨を通知する無応答通知手段とを備え、
前記第２無線端末は、
前記第１無線端末から送信された無線信号を受信する第２端末無線受信手段と、
この第２端末無線受信手段が前記無線確認信号を受信した場合に、前記第２端末無線送信手段を制御して、前記第１無線端末に宛てた前記無線応答信号を送信する第２端末送信制御手段とを備えることを特徴とする請求項１に記載のナースコールシステム。
【請求項３】
前記第１無線端末は、
前記第１端末無線受信手段が前記無線呼出信号を受信した場合に、前記無線呼出信号を受信したことを報知する第１端末報知手段を備えることを特徴とする請求項１に記載のナースコールシステム。
【請求項４】
前記第１無線端末は、
要求を受け付ける受付手段と、
この受付手段を通じて要求があった場合に、前記呼出通知手段を制御して、前記ナースコール親機に対して、呼び出しが生じた旨を通知する呼出通知制御手段と、
前記第２無線端末に宛てた無線信号を送信する第１端末無線送信手段と、
前記受付手段を通じて要求があった場合に、前記第１端末無線送信手段を制御して、前記第２無線端末に宛てた無線確認信号を送信する第１端末送信制御手段とを備え、
前記第２無線端末は、
前記第１無線端末から送信された無線信号を受信する第２端末無線受信手段と、
この第２端末無線受信手段が前記無線確認信号を受信した場合に、前記無線確認信号を受信したことを報知する第２端末報知手段とを備えることを特徴とする請求項１に記載のナースコールシステム。
【請求項５】
医療従事者を呼び出すナースコール親機と、
このナースコール親機に有線回線を通じて収容される接続端子と、
この接続端子に着脱自在に接続可能な第１無線端末と、
患者が携帯する第２無線端末とを具備し、
この第２無線端末は、
患者から、患者の身体に関わるバイタル情報を検出するバイタル情報検出手段と、
このバイタル情報検出手段が検出したバイタル情報が予め設定した条件を満たす場合に、無線呼出信号を送信する第２端末無線送信手段とを備え、
前記第１無線端末は、
前記第２無線端末から送信された無線信号を受信する第１端末無線受信手段と、
この第１端末無線受信手段が前記無線呼出信号を受信した場合に、前記接続端子を通じて前記ナースコール親機に対して、前記患者の身体が所定の条件を満たす状態になった旨を通知する呼出通知手段とを備えることを特徴とするナースコールシステム。
【請求項６】
患者の身体に関わるバイタル情報を記憶するサーバ装置と、
このサーバ装置に有線回線を通じて収容される接続端子と、
この接続端子に着脱自在に接続可能な第１無線端末と、
患者が携帯する第２無線端末とを具備し、
この第２無線端末は、
患者から前記バイタル情報を検出するバイタル情報検出手段と、
このバイタル情報検出手段が検出したバイタル情報を、無線送信する第２端末無線送信手段を備え、
前記第１無線端末は、
前記第２無線端末から無線送信されたバイタル情報を受信する第１端末無線受信手段と、
この第１端末無線受信手段が受信した前記バイタル情報を、前記接続端子を通じて前記サーバ装置に送信する情報送信手段とを備えることを特徴とするナースコールシステム。
【発明の詳細な説明】
【技術分野】
【０００１】
この発明は、病院などの施設において、患者や被介護者が看護師を呼び出すナースコールシステムに関する。
【背景技術】
【０００２】
周知のように、従来のナースコールシステムは、ナースセンタにナースコール親機が設置され、一般に廊下灯と称され、各病室の入り口付近に設置される廊下灯ユニットに有線接続される。そして、廊下灯ユニットは、対応する病室内の各病床に対応するインターフェイス盤を通じて呼出ボタンを収容し、この呼出ボタンが患者などによって操作されると、上記ナースコール親機に患者から呼び出しが生じた旨を報知する。
【０００３】
これに対してナースコール親機は、呼び出しが生じた病床を識別し、その情報をモニタ上に表示するとともに、無線回線を通じて看護師などの医療従事者が携帯するナースコール子機を呼び出すようにしている（例えば、特許文献１参照）。
【０００４】
しかしながら、呼出ボタンとインターフェイス盤とはコードで接続されるため、コードやインターフェイス盤に物理的な負荷がかかって、コードやインターフェイス盤に故障が生じて、呼び出しが正常に行えないという問題が生じることがあった。またコードの存在は、患者の検査や治療、患者や病床の移動の際に邪魔になるという問題があった。
【特許文献１】特開２００３−１２６１８３公報
【発明の開示】
【発明が解決しようとする課題】
【０００５】
従来のナースコールシステムでは、呼出ボタンとインターフェイス盤とはコードで接続されるため、コードやインターフェイス盤に物理的な負荷がかかって、コードやインターフェイス盤に故障が生じて、呼び出しが正常に行えないという問題が生じることがあった。またコードの存在は、患者の検査や治療、患者や病床の移動の際に邪魔になるという問題があった。
【０００６】
この発明は上記の問題を解決すべくなされたもので、機器の故障によって呼び出しが行えなくなったり、患者の検査や治療、患者や病床の移動の際に邪魔にならないナースコールシステムを提供することを目的とする。
【課題を解決するための手段】
【０００７】
上記の目的を達成するために、この発明は、医療従事者を呼び出すナースコール親機と、このナースコール親機に有線回線を通じて収容される接続端子と、この接続端子に接続される第１無線端末と、患者が携帯する第２無線端末とを具備し、この第２無線端末は、患者から要求を受け付ける受付手段と、この受付手段を通じて要求があった場合に、無線呼出信号を送信する第２端末無線送信手段を備え、第１無線端末は、第２無線端末から送信された無線信号を受信する第１端末無線受信手段と、この第１端末無線受信手段が無線呼出信号を受信した場合に、接続端子を通じてナースコール親機に対して、呼び出しが生じた旨を通知する呼出通知手段とを具備して構成するようにした。
【発明の効果】
【０００８】
以上述べたように、この発明では、ナースコール親機に有線回線を通じて収容される接続端子に、第１無線端末が着脱自在に接続され、第２無線端末は患者から要求があった場合に無線呼出信号を送信し、第１無線端末は、上記無線呼出信号を受信した場合に、接続端子を通じてナースコール親機に対して、呼び出しが生じた旨を通知するようにしている。
【０００９】
したがって、この発明によれば、既存の通信回線を通じて第１無線端末とナースコール親機とを有線接続し、第２無線端末は第１無線端末に無線信号を送信してナースコール親機に対して呼び出しを行うので、病床周りが簡素化され、コードや接続端子に物理的な負荷がかかって故障が生じることもなく、呼び出しを安定的に行うことが可能なナースコールシステムを提供できる。
【発明を実施するための最良の形態】
【００１０】
以下、図面を参照して、この発明の一実施形態について説明する。  
図１は、この発明の一実施形態に係わるナースコールシステムの概略構成図である。なお、この実施形態では病棟に設置される看護支援用のナースコールシステムを例にとって説明する。
【００１１】
このナースコールシステムは、各病室の入口近傍の廊下側壁面や、トイレ、浴室など設置される病室ユニット１１〜１ｎと、ナースセンタに設置されるセンタ装置として機能するナースコール親機２とを備え、病室ユニット１１〜１ｎとナースコール親機２との間はそれぞれ通信線路を介して接続される。患者Ｐには、患者携帯端末２００が装着される。
【００１２】
またこのナースコールシステムは、例えば病院内の通信センタに設置されるハンディナースコール主装置３および構内交換機（ＰＢＸ：Private Branch Exchange）４を備え、ハンディナースコール主装置３には無線ユニット６が接続され、またＰＢＸ４は公衆網５に接続される。
【００１３】
さらに、上記ナースコール親機２は、例えばＬＡＮ（Local Area Network）７を介して看護支援サーバ９に接続される。看護支援サーバ９は、看護支援のための種々情報を記憶し管理する。なお、１０は上記看護支援サーバ９に記憶されたデータをプリントアウトするために使用されるプリンタ、８は上記看護支援サーバ９およびプリンタ１０をＬＡＮ７に接続するためのハブである。
【００１４】
ハンディナースコール主装置３は、例えば構内ＰＨＳ（Personal Handyphone System）対応の交換装置からなるもので、交換制御部やタイムスイッチの他に、複数の内線インタフェースと、局線インタフェースと、保守インタフェースとを備える。内線インタフェースにはそれぞれ無線ユニット６の無線基地局６１，６２が接続される。
【００１５】
無線基地局６１，６２はそれぞれ無線エリアを形成し、この無線エリア内に存在する携帯端末７１〜７ｍとの間で無線回線を介して接続される。局線インタフェースにはＰＢＸ４が接続される。携帯端末７１〜７ｍは、医者や看護師などの医療従事者が携帯する。
【００１６】
病室ユニット１１〜１ｎは、病室の天井等に設置されたマイクロホン１０１およびスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。
【００１７】
また病室ユニット１１〜１ｎは、ハンド型子機１０９、握り押しボタン１１０および増設無線端末１１００を備え、これらは病床の壁に設けられたインターフェース盤１０８を介して上記個別情報廊下灯１０７に接続される。
【００１８】
このうち、握り押しボタン１１０およびトイレ・浴室用押しボタン１０３は患者（あるいは被介護者）が看護師を呼び出す際に使用するもので、インターフェース盤１０８またはＩ／Ｏユニット１０６の接続端子（図示しない）に接続され、インターフェース盤１０８またはＩ／Ｏユニット１０６を介して個別情報廊下灯１０７に接続される。
【００１９】
そして、握り押しボタン１１０およびトイレ・浴室用押しボタン１０３は、患者によって操作されると操作信号がそれぞれインターフェース盤１０８またはＩ／Ｏユニット１０６を介して個別情報廊下灯１０７に出力される。
【００２０】
また、インターフェース盤１０８に設けられた押しボタンが押下された場合にも、操作信号が個別情報廊下灯１０７に伝えられる。増設無線端末１１００もインターフェース盤１０８の接続端子に着脱自在に接続され、種々の信号をインターフェース盤１０８を通じて個別情報廊下灯１０７に出力するが、詳細については後述する。
【００２１】
個別情報廊下灯１０７は、上記操作信号を受信すると、自身の表示部に呼出の発生を表示する。またそれと共に、呼出信号を生成してナースコール親機２へ送信する。呼出信号には、トイレ・浴室用押しボタン１０３、ハンド型子機１０９および握り押しボタン１１０にそれぞれ固有に割り振られたアドレス情報が挿入される。増設無線端末１１００から入力される信号については、個別情報廊下灯１０７は、そのままナースコール親機２へ送信する。
【００２２】
マイクロホン１０１とスピーカ１０２、ハンド型子機１０９およびインターフェース盤１０８は、患者が呼出に対し応答した看護師と通話を行うために使用するもので、その通話信号は通話路を介してナースコール親機２へ送信される。通話路は、ナースコール親機２において看護師が患者の呼出に対し応答操作することにより確立される。なお、復旧ボタン１０５は上記呼出をリセットする場合に使用される。
【００２３】
増設無線端末１１００および患者携帯端末２００は、図２に示すように構成される。  増設無線端末１１００は、予め所定の患者携帯端末２００と対応づけられたものであって、無線通信部１１０１と、通信Ｉ／Ｆ１１０２と、記憶部１１０３と、表示部１１０４と、操作部１１０５と、警報部１１０６と、タイマ１１０７と、制御部１１１０とを備える。
【００２４】
無線通信部１１０１は、患者携帯端末２００から無線呼出信号を受信したり、患者携帯端末２００との間に無線通信リンクを開設して無線通信を行うものである。通信Ｉ／Ｆ１１０２は、インターフェース盤１０８に着脱自在なインターフェースであって、個別情報廊下灯１０７およびインターフェース盤１０８を通じて、ナースコール親機２と通信するためのインターフェースである。
【００２５】
記憶部１１０３は、制御部１１１０の制御プログラムや制御データを記憶する他に、当該増設無線端末１１００に固有に割り当てられた識別情報Ｃ−ＩＤや、予め対応づけられた患者携帯端末２００を識別するための識別情報Ｐ−ＩＤ、無線通信部１１０１や通信Ｉ／Ｆ１１０２を通じて受信したデータを記憶するものである。表示部１１０４は、ＬＣＤなどを用いた表示部であって、文字や図形など種々の画像を表示するものである。
【００２６】
操作部１１０５は、押しボタン式のスイッチなどで構成されるもので、患者Ｐが呼び出しを行う際に操作したり、呼び出しを解除するために医療従事者が操作するものである。警報部１１０６は、患者Ｐから呼び出し要求を受け付けた場合にその旨を報知するための警報音や光を発するものである。
【００２７】
制御部１１１０は、当該増設無線端末１１００の各部を統括して制御するものであって、記憶部１１０３に記憶される制御プログラムや制御データにしたがって種々の制御を行う。タイマ１１０７は、時刻を計時する機能と、制御部１１１０からの指示に応じて時間（ｔ１やｔ２など）を計る機能を備えもので、現在の時刻および計測した時間を制御部１１１０に通知する。
【００２８】
また患者携帯端末２００は、患者Ｐの腕など、患者Ｐによって操作可能で、なおかつ患者Ｐのバイタル情報を収集可能な位置に着用するものであって、操作部２０１と、無線通信部２０２と、表示部２０３と、警報部２０４と、記憶部２０５と、通話部２０６と、センサ部２０７と、タイマ２０８と、バッテリ２０９と、制御部２１０とを備える。
【００２９】
操作部２０１は、押しボタン式のスイッチなどで構成されるもので、少なくとも呼び出し用のスイッチを備える。このスイッチは、患者Ｐが医療従事者を呼び出したい場合や、話をしたい場合などに操作するものである。
【００３０】
無線通信部２０２は、増設無線端末１１００の無線通信部１１０１に宛てた無線呼出信号を送信したり、無線通信部１１０１との間に無線通信リンクを開設して無線通信を行うものである。表示部２０３は、ＬＣＤなどを用いた表示部であって、文字や図形など種々の画像を表示するものである。警報部２０４は、音や光を発するものである。
【００３１】
記憶部２０５は、制御部２１０の制御プログラムや制御データを記憶する他に、当該患者携帯端末２００に固有に割り当てられた識別情報Ｐ−ＩＤや、無線通信部２０２を通じて受信したデータを記憶するものである。
【００３２】
通話部２０６は、マイクロホンとスピーカを備えたものであって、上記マイクロホンより入力される患者の音声を符号化して音声データに変換して制御部２１０に出力し、また制御部２１０から与えられる音声データを復号して音声信号に変換し上記スピーカより拡声出力する。
【００３３】
センサ部２０７は、患者Ｐのバイタル情報（例えば、体温、血圧、脈拍、血液成分など）を検出するものであって、これらの検出したバイタル情報を制御部２１０に出力する。タイマ２０８は、時刻を計時する機能と、制御部２１０からの指示に応じて時間ｔ３など）を計る機能を備えもので、現在の時刻および計測した時間を制御部２１０に通知する。
【００３４】
バッテリ２０９は、当該患者携帯端末２００の各部に動作電力を供給するものである。
【００３５】
制御部２１０は、当該患者携帯端末２００の各部を統括して制御するものであって、記憶部２０５に記憶される制御プログラムにしたがって種々の制御を行い、例えば、増設無線端末１１００との間の通信制御、センサ部２０７にて検出したバイタル情報の集計と記録、このバイタル情報に基づく医療的な判断などを行うものである。
【００３６】
次に、上記構成のナースコールシステムの動作について説明する。以下の説明では特に、患者携帯端末２００と、これに対応づけられる増設無線端末１１００との間でなされる通信について説明する。
【００３７】
はじめに、患者携帯端末２００における動作を説明する。図３は、この動作を説明するためのフローチャートであって、患者携帯端末２００の制御部２１０によってなされる制御動作を示すものである。この動作は、電源が投入されると電源が切られるまで繰り返し実行される。なお、このフローチャートの元となる制御プログラムは、記憶部２０５に記憶されており、電源投入により制御部２１０が記憶部２０５から上記制御プログラムを読み込んで実行する。
【００３８】
まずステップ３ａにおいて制御部２１０は、無線通信部２０２、センサ部２０７およびタイマ２０８など、各部を起動し、ステップ３ｂに移行する。これにより、増設無線端末１１００からの無線信号が受信可能な状態となるとともに、タイマ２０８によりタイムカウント（カウント値ｔ３）が開始される。
【００３９】
また、センサ部２０７が患者Ｐから種々のバイタル情報の検出を開始し、この検出した情報を制御部２１０が集計・分析し、これら集計結果や分析結果をバイタルデータとして記憶部２０５に記録する。このようなバイタル情報の収集に関する処理も、電源が切られるまで繰り返し継続される。なお、バイタル情報の収集に関する設定は、操作部２０１を通じた指示に従ってなされる。
【００４０】
ステップ３ｂにおいて制御部２１０は、患者Ｐや介護者などが操作部２０１を操作して、医療従事者を呼び出す要求を行ったか否かを判定する。ここで、上記要求が行われた場合には、ステップ３ｃに移行し、一方、上記要求が行われなかった場合には、ステップ３ｄに移行する。
【００４１】
ステップ３ｃにおいて制御部２１０は、記憶部２０５から当該患者携帯端末２００に割り当てられた識別情報Ｐ−ＩＤを読み出し、無線通信部２０２を制御して、上記識別情報Ｐ−ＩＤを含む呼出信号を増設無線端末１１００に宛てて送信し、ステップ３ｄに移行する。
【００４２】
ステップ３ｄにおいて制御部２１０は、無線通信部２０２の受信信号を監視し、当該患者携帯端末２００宛ての応答信号を受信したか否かを判定する。ここで、上記応答信号を受信した場合には、ステップ３ｅに移行し、一方、上記応答信号が受信できなかった場合には、ステップ３ｇに移行する。
【００４３】
ステップ３ｅにおいて制御部２１０は、警報部２０４を制御して確認音と確認光を出力させ、これにより、ステップ３ｂで受け付けた呼び出しの要求が正常に増設無線端末１１００に伝達されたことを患者Ｐなどの報知し、ステップ３ｆに移行する。
【００４４】
ステップ３ｆにおいて制御部２１０は、無線通信部２０２を制御して、音声通信が可能な通信リンクを増設無線端末１１００との間に確立し、音声データの送受信を行う。そして制御部２１０は、増設無線端末１１００から受信した音声データを復号してアナログ音声信号に変換し、通話部２０６のスピーカから拡声出力するとともに、通話部２０６のマイクロホンから入力された音声信号を音声データに符号化し、この音声データを無線通信部２０２を通じて増設無線端末１１００に送信する。このような音声通信制御は、増設無線端末１１００によって通信リンクが切断されるまでなされ、通信リンクが切断されると、ステップ３ｂに移行する。
【００４５】
ステップ３ｇにおいて制御部２１０は、無線通信部２０２の受信信号を監視し、当該患者携帯端末２００宛ての定期確認信号を受信したか否かを判定する。ここで、上記定期確認信号を受信した場合には、ステップ３ｈに移行し、一方、上記定期確認信号が受信できなかった場合には、ステップ３ｉに移行する。
【００４６】
ステップ３ｈにおいて制御部２１０は、記憶部２０５から当該患者携帯端末２００に割り当てられた識別情報Ｐ−ＩＤを読み出し、無線通信部２０２を制御して、上記識別情報Ｐ−ＩＤを含む応答信号を増設無線端末１１００に宛てて送信し、ステップ３ｂに移行する。
【００４７】
ステップ３ｉにおいて制御部２１０は、タイマ２０８によるカウント値ｔ３が、予め設定した報告時間Ｔ３に達したか否かを判定する。ここで、上記カウント値ｔ３が報告時間Ｔ３に達した場合には、ステップ３ｊに移行し、一方、上記カウント値ｔ３が報告時間Ｔ３に達していない場合には、ステップ３ｍに移行する。
【００４８】
ステップ３ｊにおいて制御部２１０は、記憶部２０５から当該患者携帯端末２００に割り当てられた識別情報Ｐ−ＩＤを読み出し、無線通信部２０２を制御して、上記識別情報Ｐ−ＩＤを含む呼出信号を増設無線端末１１００に宛てて送信し、ステップ３ｋに移行する。
【００４９】
ステップ３ｋにおいて制御部２１０は、記憶部２０５に記憶されるバイタルデータを読み出し、無線通信部２０２を制御して、上記バイタルデータを含む無線信号を増設無線端末１１００に宛てて送信する。また制御部２１０は、タイマ２０８のカウント値ｔ３をリセットして、タイマ２０８をリスタートさせ、ステップ３ｌに移行する。
【００５０】
ステップ３ｄにおいて制御部２１０は、無線通信部２０２の受信信号を監視し、当該患者携帯端末２００宛ての応答信号を受信したか否かを判定する。ここで、上記応答信号を受信した場合には、ステップ３ｂに移行し、一方、上記応答信号が受信できなかった場合には、ステップ３ｊに移行する。
【００５１】
ステップ３ｍにおいて制御部２１０は、センサ部２０７の検出結果を分析し、患者Ｐの身体に異常が生じていないか、あるいは危険な状態となっていないかを判定する。ここで、センサ部２０７の検出結果が異常値を示すなどして、患者Ｐの身体に異常が生じたり、あるいは危険な状態が迫っていると判定される場合には、ステップ３ｎに移行し、一方、センサ部２０７の検出結果が正常値の範囲内などにあり、患者Ｐの身体に異常はなく、かつ危険な状態も迫っていないと判定される場合には、ステップ３ｂに移行する。
【００５２】
ステップ３ｎにおいて制御部２１０は、記憶部２０５から当該患者携帯端末２００に割り当てられた識別情報Ｐ−ＩＤを読み出し、無線通信部２０２を制御して、上記識別情報Ｐ−ＩＤを含む呼出信号を増設無線端末１１００に宛てて送信し、ステップ３ｏに移行する。
【００５３】
ステップ３ｏにおいて制御部２１０は、無線通信部２０２を制御して、患者Ｐの身体に異常が生じたり、あるいは危険な状態が迫っていることを示す異常検出信号を増設無線端末１１００に宛てて送信し、ステップ３ｐに移行する。
【００５４】
ステップ３ｐにおいて制御部２１０は、無線通信部２０２の受信信号を監視し、当該患者携帯端末２００宛ての応答信号を受信したか否かを判定する。ここで、上記応答信号を受信した場合には、ステップ３ｂに移行し、一方、上記応答信号が受信できなかった場合には、ステップ３ｎに移行する。
【００５５】
次に、増設無線端末１１００における動作を説明する。図４は、この動作を説明するためのフローチャートであって、増設無線端末１１００の制御部１１１０によってなされる制御動作を示すものである。この動作は、電源が投入されると電源が切られるまで繰り返し実行される。なお、このフローチャートの元となる制御プログラムは、記憶部１１０３に記憶されており、電源投入により制御部１１１０が記憶部１１０３から上記制御プログラムを読み込んで実行する。
【００５６】
まずステップ４ａにおいて制御部１１１０は、無線通信部１１０１、通信Ｉ／Ｆ１１０２およびタイマ１１０７など、各部を起動し、ステップ４ｂに移行する。これにより、患者携帯端末２００からの無線信号が受信可能な状態となるとともに、タイマ１１０７によりタイムカウント（カウント値ｔ１，ｔ２）が開始される。
【００５７】
ステップ４ｂにおいて制御部１１１０は、タイマ１１０７のカウント値ｔ１が、予め設定した定期確認時間Ｔ１に達したか否かを判定する。ここで、上記カウント値ｔ１が定期確認時間Ｔ１に達した場合には、ステップ４ｃに移行し、一方、上記カウント値ｔ１が定期確認時間Ｔ１に達していない場合には、ステップ４ｈに移行する。
【００５８】
ステップ４ｃにおいて制御部１１１０は、タイマ１１０７によるタイムカウント（カウント値ｔ１，ｔ２）をリセットし、タイマ１１０７をリスタートさせ、ステップ４ｄに移行する。
【００５９】
ステップ４ｄにおいて制御部１１１０は、記憶部１１０３から、当該増設無線端末１１００に対応づけられた患者携帯端末２００の識別情報Ｐ−ＩＤを読み出し、無線通信部１１０１を制御して、上記識別情報Ｐ−ＩＤを含む定期確認信号を患者携帯端末２００に宛てて送信し、ステップ４ｅに移行する。
【００６０】
ステップ４ｅにおいて制御部１１１０は、無線通信部１１０１の受信信号を監視し、当該増設無線端末１１００宛ての応答信号を受信したか否かを判定する。ここで、上記応答信号を受信した場合には、ステップ４ｂに移行し、一方、上記応答信号が受信できなかった場合には、ステップ４ｆに移行する。
【００６１】
ステップ４ｆにおいて制御部１１１０は、タイマ１１０７のカウント値ｔ２が、予め設定した応答制限時間Ｔ２に達したか否かを判定する。ここで、上記カウント値ｔ２が応答制限時間Ｔ２に達した場合には、ステップ４ｇに移行し、一方、上記カウント値ｔ２が応答制限時間Ｔ２に達していない場合には、ステップ４ｄに移行する。
【００６２】
ステップ４ｇにおいて制御部１１１０は、通信Ｉ／Ｆ１１０２を制御して、警告信号を個別情報廊下灯１０７およびインターフェース盤１０８を通じてナースコール親機２に送信し、ステップ４ｂに移行する。上記警告信号を受信したナースコール親機２は、患者携帯端末２００のバッテリ切れや故障、患者Ｐの徘徊などを示す警告音や警告表示の出力を行う。
【００６３】
ステップ４ｈにおいて制御部１１１０は、患者Ｐや介護者などが操作部１１０５を操作して、医療従事者を呼び出す要求を行ったか否かを判定する。ここで、上記要求が行われた場合には、ステップ４ｉに移行し、一方、上記要求が行われなかった場合には、ステップ４ｐに移行する。
【００６４】
ステップ４ｉにおいて制御部１１１０は、無線通信部１１０１の受信信号を監視し、予め対応づけられた患者携帯端末２００から当該増設無線端末１１００宛てに送信された呼出信号を受信したか否かを判定する。ここで、上記呼出信号を受信した場合には、ステップ４ｊに移行し、一方、上記呼出信号が受信できなかった場合には、ステップ４ｂに移行する。
【００６５】
ステップ４ｊにおいて制御部１１１０は、無線通信部１１０１の受信信号を監視し、予め対応づけられた患者携帯端末２００から当該増設無線端末１１００宛てのバイタルデータを受信したか否かを判定する。ここで、上記バイタルデータを受信した場合には、このバイタルデータを一時的に記憶部１１０３に記録してステップ４ｋに移行し、一方、上記バイタルデータが受信できなかった場合には、ステップ４ｍに移行する。
【００６６】
ステップ４ｋにおいて制御部１１１０は、記憶部１１０３に記録したバイタルデータを読み出して、通信Ｉ／Ｆ１１０２を制御して、上記読み出したバイタルデータを個別情報廊下灯１０７およびインターフェース盤１０８を通じて、ナースコール親機２に送信し、ステップ４ｌに移行する。これに対して、ナースコール親機２は、受信したバイタルデータをハブ８を介して看護支援サーバ９に転送し、看護支援サーバ９によってバイタルデータの集計、分析などが行われる。
【００６７】
ステップ４ｌにおいて制御部１１１０は、記憶部１１０３から当該増設無線端末１１００に対応づけられた患者携帯端末２００の識別情報Ｐ−ＩＤを読み出し、無線通信部１１０１を制御して、上記識別情報Ｐ−ＩＤを含む応答信号を患者携帯端末２００に宛てて送信し、ステップ４ｂに移行する。
【００６８】
ステップ４ｍにおいて制御部１１１０は、無線通信部１１０１の受信信号を監視し、予め対応づけられた患者携帯端末２００から当該増設無線端末１１００宛ての異常検出信号を受信したか否かを判定する。ここで、上記異常検出信号を受信した場合には、ステップ４ｎに移行し、一方、上記異常検出信号が受信できなかった場合には、ステップ４ｐに移行する。
【００６９】
ステップ４ｎにおいて制御部１１１０は、通信Ｉ／Ｆ１１０２を制御して、異常検出信号を個別情報廊下灯１０７およびインターフェース盤１０８を通じてナースコール親機２に送信し、ステップ４ｏに移行する。この異常検出信号を受信したナースコール親機２は、患者Ｐの身体に異常が生じたり、あるいは危険な状態が迫っていることを示す警告音や警告表示の出力を行う。
【００７０】
ステップ４ｏにおいて制御部１１１０は、記憶部１１０３から当該増設無線端末１１００に対応づけられた患者携帯端末２００の識別情報Ｐ−ＩＤを読み出し、無線通信部１１０１を制御して、上記識別情報Ｐ−ＩＤを含む応答信号を患者携帯端末２００に宛てて送信し、ステップ４ｂに移行する。
【００７１】
ステップ４ｐにおいて制御部１１１０は、通信Ｉ／Ｆ１１０２を制御して、個別情報廊下灯１０７およびインターフェース盤１０８を通じてナースコール親機２に呼び出しが発生したことを通知する。また制御部１１１０は、警報部１１０６を制御して、確認音と確認光を出力させ、これにより、患者携帯端末２００からの呼び出し要求、あるいはステップ４ｈで受け付けた呼び出し要求が正常にナースコール親機２に伝達されたことを患者Ｐなどの報知し、ステップ４ｇに移行する。
【００７２】
ステップ４ｇにおいて制御部１１１０は、記憶部１１０３から当該増設無線端末１１００に対応づけられた患者携帯端末２００の識別情報Ｐ−ＩＤを読み出し、無線通信部１１０１を制御して、上記識別情報Ｐ−ＩＤを含む応答信号を患者携帯端末２００に宛てて送信し、ステップ４ｒに移行する。
【００７３】
ステップ４ｒにおいて制御部１１１０は、無線通信部１１０１および通信Ｉ／Ｆ１１０２を制御して、音声通信が可能な通信リンクを患者携帯端末２００と、ナースコール親機２との間にそれぞれ確立し、音声データの送受信を行う。そして制御部１１１０は、患者携帯端末２００から受信した音声データを通信Ｉ／Ｆ１１０２を通じてナースコール親機２に転送するとともに、ナースコール親機２から受信した音声データを無線通信部１１０１を通じて患者携帯端末２００に転送する中継処理を実施する。このような音声通信制御は、ナースコール親機２によって通信リンクが切断されるまでなされ、通信リンクが切断されると、患者携帯端末２００との間の通信リンクを切断し、ステップ４ｂに移行する。
【００７４】
以上のように、上記構成のナースコールシステムでは、患者Ｐが患者携帯端末２００を着用し、呼び出しを行いたい場合には、患者携帯端末２００を患者Ｐが操作する。すると、患者携帯端末２００から無線信号が送信される。また、握り押しボタン１１０などが接続されるインターフェース盤１０８には、増設無線端末１１００が接続されており、この増設無線端末１１００は上記無線信号を受信すると、インターフェース盤１０８を通じてナースコール親機２に患者Ｐからの呼び出しが発生したことを報知するようにしている。
【００７５】
したがって、上記構成のナースコールシステムによれば、患者携帯端末２００はインターフェース盤１０８とコードで接続されるのではなく、既存の通信回線を通じてナースコール親機２に収容される増設無線端末１１００と無線信号により接続されるので、病床周りが簡素化され、コードやインターフェイス盤に物理的な負荷がかかって故障が生じることもなく、呼び出しが安定的に行える。
【００７６】
またコードの存在が、患者の検査や治療、患者や病床の移動の際に邪魔になることがない。さらに、既存のインターフェース盤１０８に増設無線端末１１００を接続するだけなので、病院内に新たな通信回線を敷設する必要もなく、簡易な工事で実現が可能である。
【００７７】
また、上記構成のナースコールシステムでは、患者携帯端末２００と増設無線端末１１００との間で定期的に無線信号の送受信を行って、両者の間で無線信号の送受信が可能であることを確認するようにしている。
【００７８】
したがって、上記構成のナースコールシステムによれば、患者携帯端末２００のバッテリ切れや故障、患者携帯端末２００を携帯する患者Ｐが無線通信が不可能なところまで徘徊などした場合に、その旨が増設無線端末１１００からインターフェース盤１０８を通じて、ナースコール親機２に報知されることになり、患者携帯端末２００のバッテリ切れや故障、患者Ｐの徘徊などを医療従事者は認識することができる。
【００７９】
さらに、上記構成のナースコールシステムでは、患者Ｐが患者携帯端末２００を操作して呼び出し要求を行った場合に、患者携帯端末２００から送信された無線信号が増設無線端末１１００にて受信されると、増設無線端末１１００から上記無線信号の受信を示す確認音や確認光を出力するようにしている。
【００８０】
したがって、上記構成のナースコールシステムによれば、故障などによって呼び出しが正常に行われない場合には、増設無線端末１１００から確認音や確認光が出力されないので、患者Ｐは呼び出しが正常に行われていないことを認識できる。
【００８１】
さらにまた、上記構成のナースコールシステムでは、増設無線端末１１００を操作して呼び出し要求を行った場合に、増設無線端末１１００が患者携帯端末２００宛てに無線信号を送信し、この無線信号を受信した患者携帯端末２００は、増設無線端末１１００から呼び出しが行われたこと示す確認音や確認光を出力するようにしている。
【００８２】
したがって、上記構成のナースコールシステムによれば、増設無線端末１１００を操作して呼び出し要求を行った場合に、患者携帯端末２００側で呼び出しが行われたことを認識できる。
【００８３】
そして、上記構成のナースコールシステムでは、患者携帯端末２００が患者Ｐから種々のバイタル情報を収集し、この情報を無線信号を通じて増設無線端末１１００に送信して、増設無線端末１１００は受信したバイタル情報をインターフェース盤１０８、ナースコール親機２およびハブ８を通じて、看護支援サーバ９に転送するようにしている。
【００８４】
したがって、上記構成のナースコールシステムによれば、増設無線端末１１００および既存の通信回線を通じて、患者Ｐのバイタル情報を看護支援サーバ９に転送することができる。
【００８５】
そしてまた、上記構成のナースコールシステムでは、患者携帯端末２００が患者Ｐの身体の状態を監視し、異常もしくは危険な状態を検出すると、無線信号を送信して、この旨を増設無線端末１１００およびインターフェース盤１０８を通じて、ナースコール親機２に通知するようにしている。
【００８６】
したがって、上記構成のナースコールシステムによれば、患者携帯端末２００が検出した患者Ｐの危険な状態を、増設無線端末１１００および既存の通信回線を通じて、看護支援サーバ９に通知することができる。
【００８７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００８８】
その一例として例えば、上記実施の形態では、患者携帯端末２００において、センサ部２０７が検出したバイタル情報を制御部２１０が集計・分析し、その結果をバイタルデータとして増設無線端末１１００に送信するようにしたが、これに代わって例えば、センサ部２０７が検出したバイタル情報を制御部２１０が集計・分析することなく、増設無線端末１１００に送信するようにしてもよい。この場合、バイタル情報の集計・分析は、看護支援サーバ９にて行うようにすることが考えられる。  
その他、この発明の要旨を逸脱しない範囲で種々の変形を施しても同様に実施可能であることはいうまでもない。
【図面の簡単な説明】
【００８９】
【図１】この発明に係わるナースコールシステムの一実施形態の構成を示す図。
【図２】図１に示したナースコールシステムの増設無線端末および患者携帯端末の構成を示す回路ブロック図。
【図３】図１に示したナースコールシステムの患者携帯端末の動作を説明するためのフローチャート。
【図４】図１に示したナースコールシステムの増設無線端末の動作を説明するためのフローチャート。
【符号の説明】
【００９０】
１１〜１ｎ…病室ユニット、２…ナースコール親機、３…ハンディナースコール主装置、４…ＰＢＸ、５…公衆網、６…無線ユニット、６１，６２…無線基地局、７…ＬＡＮ、７１〜７ｍ…携帯端末、８…ハブ、９…看護支援サーバ、１０…プリンタ、１０１…マイクロホン、１０２…スピーカ、１０３…トイレ・浴室用押しボタン、１０４…代表廊下灯、１０５…復旧ボタン、１０６…Ｉ／Ｏユニットユニット、１０７…個別情報廊下灯、１０８…インターフェース盤、１０９…ハンド型子機、１１０…握り押しボタン、２００…患者携帯端末、２０１…操作部、２０２…無線通信部、２０３…表示部、２０４…警報部、２０５…記憶部、２０６…通話部、２０７…センサ部、２０８…タイマ、２０９…バッテリ、２１０…制御部、１１００…増設無線端末、１１０１…無線通信部、１１０３…記憶部、１１０４…表示部、１１０５…操作部、１１０６…警報部、１１０７…タイマ、１１１０…制御部。
【図１】
2006033164.tif 000003
【図２】
2006033164.tif 000004
【図３】
2006033164.tif 000005
【図４】
2006033164.tif 000006